(57)【要約】      （修正有）【課題】屋外に設置される無線通信基地局装置において、風に乗って飛来する塵埃が装置内部へ侵入することを防止する無線通信基地局装置及び塵埃侵入防止方法を提供する。【解決手段】装置内部を冷却するファン手段２と、ファン手段２の駆動によって発生する排気流を排出するための排気口と、を備えた、屋外に設置される無線通信基地局装置１であって、排気口近傍に、風圧の影響により開閉可動するフラップ手段４を設け、フラップ手段４は、無線通信基地局装置１の外部から吹き付ける風の風圧がファン手段２の駆動によって発生する排気流の風圧よりも小さい場合は、排気流の風圧の影響を受けて動作して排気口を開き、無線通信地局装置１の外部から吹き付ける風の風圧がファン手段２の駆動によって発生する排気流の風圧よりも大きい場合は、外部から吹き付ける風の風圧の影響を受けて動作して排気口を閉じる。【選択図】図１
2008103637.tif 000002
【特許請求の範囲】
【請求項１】
装置内部を冷却するファン手段と、
該ファン手段の駆動によって発生する排気流を排出するための排気口と、を備えた、屋外に設置される無線通信基地局装置であって、
前記排気口近傍に、風圧の影響により開閉可動するフラップ手段を設けたことを特徴とする無線通信基地局装置。
【請求項２】
前記フラップ手段は、前記無線通信基地局装置の外部から吹き付ける風の風圧が前記ファン手段の駆動によって発生する排気流の風圧よりも小さい場合は、該排気流の風圧の影響を受けて動作し、前記排気口を開くことを特徴とする請求項１記載の無線通信基地局装置。
【請求項３】
前記フラップ手段は、前記無線通信基地局装置の外部から吹き付ける風の風圧が前記ファン手段の駆動によって発生する排気流の風圧よりも大きい場合は、前記外部から吹き付ける風の風圧の影響を受けて動作し、前記排気口を閉じることを特徴とする請求項１又は２記載の無線通信基地局装置。
【請求項４】
前記フラップ手段は、フッ素樹脂シートで形成されることを特徴とする請求項１から３のいずれか１項に記載の無線通信基地局装置。
【請求項５】
装置内部を冷却するファン手段と、該ファン手段の駆動によって発生する排気流を排出するための排気口と、を備えた、屋外に設置される装置の内部に、風に乗って飛来する塵埃の侵入を防止する塵埃侵入防止方法であって、
前記排気口近傍に、風圧の影響により開閉可動するフラップ手段を設け、
該フラップ手段の開閉動作により、前記排気口の開閉を制御することを特徴とする塵埃侵入防止方法。
【請求項６】
前記フラップ手段は、前記無線通信基地局装置の外部から吹き付ける風の風圧が前記ファン手段の駆動によって発生する排気流の風圧よりも小さい場合は、該排気流の風圧の影響を受けて動作し、前記排気口を開くことを特徴とする請求項５記載の塵埃侵入防止方法。
【請求項７】
前記フラップ手段は、前記無線通信基地局装置の外部から吹き付ける風の風圧が前記ファン手段の駆動によって発生する排気流の風圧よりも大きい場合は、前記外部から吹き付ける風の風圧の影響を受けて動作し、前記排気口を閉じることを特徴とする請求項５又は６記載の塵埃侵入防止方法。
【請求項８】
前記フラップ手段は、フッ素樹脂シートで形成されることを特徴とする請求項５から７のいずれか１項に記載の塵埃侵入防止方法。
【発明の詳細な説明】
【技術分野】
【０００１】
本発明は、屋外に設置され、風に乗って飛来する塵埃の侵入を防止する機構を備えた無線通信基地局装置及び塵埃侵入防止方法に関する。
【背景技術】
【０００２】
一般に、屋外に設置される無線通信基地局装置は、例えば、工業都市、田園地域、山間部、海岸地域その他、高速道路の電柱、鉄塔、ビルの屋上など、さまざまな場所に設置される。そのため、筐体の大きさに制限が要求されてしまい、排気口から駆動ファン（装置内部の冷却装置）までの距離を十分確保できない。よって、屋外で突風が吹くと、その風に乗って飛来する、ごく小さい、砂、埃、ゴミ、虫等など（以下、塵埃という）が、排気口から装置内部に侵入して溜まってしまうことにより、駆動ファンが一時的に停止してしまうという問題が発生する。さらに、装置内部に溜まってしまった塵埃が、駆動ファンのフィンとモールドの間に落下して溜まると、一時的に停止したファンが再駆動しようとした際に、駆動ファンのフィンとモールドの間で噛んだ塵埃の影響で、駆動ファンが完全に停止してしまうという問題が発生する。
【０００３】
例えば、図３に示すように、無線通信基地局装置１は、屋外に設置される小型の通信機器であり、筐体内部には、図示しない各種電子部品と、これら電子部品等を冷却するための駆動ファン２とを有し、また、その駆動ファン２の冷却動作により発生する排気流を排出する排気口３を筐体の所定位置に有する。この排気口３は、塵埃６の装置内部への侵入を防ぐために網やルーバーで防御しているが、季節風や台風時に発生する突風により飛来して来る塵埃が排気口３から侵入することを完全に防ぐことは難しい。
【０００４】
従来技術例として、家屋等の建物において、雨戸や外壁に備えられ、外部からの強風や雨水の屋内への流入を防止する「通気部における通気制御装置」がある（例えば、特許文献１参照）。
【特許文献１】実開昭６３−１６７５８９号公報
【発明の開示】
【発明が解決しようとする課題】
【０００５】
しかしながら、特許文献１記載の発明は、外部からの通気を制御する構成であり、内部から発生する通気に関しては考慮されていない。無線通信基地局装置では、外部からの通気のみならず、内部の駆動ファンからの排気も考慮しなくてはならない。
【０００６】
本発明は、上記事情に鑑みてなされたものであり、屋外に設置される無線通信基地局装置において、風に乗って飛来する塵埃が装置内部へ侵入することを防止することを目的とする。
【課題を解決するための手段】
【０００７】
かかる目的を達成するために、請求項１記載の発明は、装置内部を冷却するファン手段と、ファン手段の駆動によって発生する排気流を排出するための排気口と、を備えた、屋外に設置される無線通信基地局装置であって、排気口近傍に、風圧の影響により開閉可動するフラップ手段を設けたことを特徴とする。
【０００８】
請求項２記載の発明は、請求項１記載の発明において、フラップ手段は、無線通信基地局装置の外部から吹き付ける風の風圧がファン手段の駆動によって発生する排気流の風圧よりも小さい場合は、排気流の風圧の影響を受けて動作し、排気口を開くことを特徴とする。
【０００９】
請求項３記載の発明は、請求項１又は２記載の発明において、フラップ手段は、無線通信基地局装置の外部から吹き付ける風の風圧がファン手段の駆動によって発生する排気流の風圧よりも大きい場合は、外部から吹き付ける風の風圧の影響を受けて動作し、排気口を閉じることを特徴とする。
【００１０】
請求項４記載の発明は、請求項１から３のいずれか１項に記載の発明において、フラップ手段は、フッ素樹脂シートで形成されることを特徴とする。
【００１１】
請求項５記載の発明は、装置内部を冷却するファン手段と、ファン手段の駆動によって発生する排気流を排出するための排気口と、を備えた、屋外に設置される装置の内部に、風に乗って飛来する塵埃の侵入を防止する塵埃侵入防止方法であって、排気口近傍に、風圧の影響により開閉可動するフラップ手段を設け、フラップ手段の開閉動作により、排気口の開閉を制御することを特徴とする。
【００１２】
請求項６記載の発明は、請求項５記載の発明において、フラップ手段は、無線通信基地局装置の外部から吹き付ける風の風圧がファン手段の駆動によって発生する排気流の風圧よりも小さい場合は、排気流の風圧の影響を受けて動作し、排気口を開くことを特徴とする。
【００１３】
請求項７記載の発明は、請求項５又は６記載の発明において、フラップ手段は、無線通信基地局装置の外部から吹き付ける風の風圧がファン手段の駆動によって発生する排気流の風圧よりも大きい場合は、外部から吹き付ける風の風圧の影響を受けて動作し、排気口を閉じることを特徴とする。
【００１４】
請求項８記載の発明は、請求項５から７のいずれか１項に記載の発明において、フラップ手段は、フッ素樹脂シートで形成されることを特徴とする。
【発明の効果】
【００１５】
本発明によれば、屋外に設置される無線通信基地局装置において、風に乗って飛来する塵埃が装置内部へ侵入することを防止できる。
【発明を実施するための最良の形態】
【００１６】
以下、本発明を実施するための最良の形態について添付図面を参照して詳細に説明する。
【００１７】
本発明の実施例である無線通信基地局装置は、屋外の電柱や鉄塔などに設置されるため、小型化された装置である。図１に示すように、本実施例の無線通信基地局装置１は、装置内部に冷却装置としての駆動ファン２を備え、また、筐体に排気口３を備える。駆動ファン２の駆動により、無線通信基地局装置１は冷却されるが、この時、無線通信基地局装置１の下部より駆動ファン２の回転力により吸い込まれた空気（図中の排気流）は、排気口３から排出される。
【００１８】
そして、図１に示すように、本実施例の無線通信基地局装置１は、ダクト構造部５と排気口３の間において、可動フラップ４が排気口３の外部に取付けられた構造となっている。この可動フラップ４は、その一端が、ヒンジ部等によって排気口３近傍の筐体外部に取付けられており、風圧の影響を受けて、その取付け部分を軸として可動する。この可動フラップ４は、薄くて軽量のフッ素樹脂シート（例えば、４フッ化エチレン樹脂であるポリテトラフルオロエチレン（ＰＴＦＥ）シートなど）で形成される。
【００１９】
図１は、可動フラップ４が閉じた状態を示す。駆動ファン２が駆動せずに、排気流が発生していない場合は、図１に示すように、可動フラップ４は閉状態となっている。そして、駆動ファン２が駆動して排気流が発生した場合は、図２に示すように、可動フラップ４は、排気流に押圧されて外部方向へ開く。この時、排気流は排気口３を介してダクト構造部５の下方から排出される。可動フラップ４が開状態となる時は、外部から吹き付ける風の風圧よりも排気流の風圧の方が大きい時であるから、たとえ外部から風が吹き付けたとしても、排気流の流れに逆行して塵埃６が排気口３から装置内部へ侵入することはない。
【００２０】
そして、図２に示す可動フラップ４の開状態の時に、外部から、排気流よりも風圧の大きい突風が無線通信基地局装置１に吹き付けられた場合、可動フラップ４はその突風に押圧されて動作し、一時的に排気口３を閉じる。すなわち、図１に示すように、突風の力で可動フラップ４が閉じて排気口３を塞ぐ。
【００２１】
よって、本実施例の可動フラップ４は、駆動ファン２の駆動時は、図２に示すように、排気口３から出てくる排気流の力で開いた状態となり、駆動ファン２の駆動中に、排気流の風圧以上の突風が無線基地局装置に吹き付けた時は、図１に示すように、可動フラップ４が排気口３を閉じた状態となるため、装置外部からの塵埃の侵入を防止できる。
【００２２】
以上説明したように、本実施例によれば、屋外に設置される無線基地局装置において、筐体に備えられた排気口近傍に簡易な構造の可動フラップを設けることにより、自然環境が生み出す季節風や台風時に発生する突風（風速20m/sec以上）に乗って飛来する塵埃が排気口から装置内部へ侵入することを防ぎ、装置内の駆動ファンの停止を未然に防止することができる。
【００２３】
また、本実施例によれば、可動フラップ４は、自然現象が発生する力をそのまま利用するので、電気的な制御を有することなく取付けることができる。
【００２４】
また、本実施例によれば、可動フラップ４は軽量のフッ素樹脂部材（ＰＴＦＥ部材など）で形成されるので、設置スペースを小さくでき、かつ、塵埃侵入防止の性能を満足することができる。
【００２５】
以上、本発明の実施例について説明したが、上記実施例の記載に限定されるものではなく、その要旨を逸脱しない範囲において種々の変形が可能である。
【産業上の利用可能性】
【００２６】
本発明は、屋外に設置され、筐体に開口部を有する装置・機器全般に適用できる。
【図面の簡単な説明】
【００２７】
【図１】本発明の無線通信基地局装置におけるフラップ閉時の状態を模式的に示す図である。
【図２】本発明の無線通信基地局装置におけるフラップ開時の状態を模式的に示す図である。
【図３】従来の無線通信基地局装置の構成を模式的に示す図である。
【符号の説明】
【００２８】
１    無線通信基地局装置
２    冷却用の駆動ファン
３    排気口
４    可動フラップ
５    ダクト構造部
６    塵埃
【図１】
2008103637.tif 000003
【図２】
2008103637.tif 000004
【図３】
2008103637.tif 000005